(57)【要約】【課題】調理後、調理物を取出す際、手が網体に触れにくいようにして火傷を防止する加熱調理器を提供することを目的とする。【解決手段】網体５の前部に、途中を回動自在に軸支した置き棒７を設け、この置き棒７は、その上端部７ｃを網体５の後方側へ倒した状態での扉６開放時、置き棒７の下端部７ｂが扉６の一部と当接して、置き棒７の上端部７ｃが網体５上方に起上り調理物８を網体５上に持ち上げるようにしたものである。これによって、調理後に扉６を開放すると、調理物８は置き棒７により持ち上げられるため、調理物８を取出す際、手が網体５に触れにくく火傷する危険性が少ないものである。【選択図】図１
2005180839.tif 000002
【特許請求の範囲】
【請求項１】
前面に開口した調理室を形成する内筐体と、内筐体の上下に配した上発熱体および下発熱体と、上発熱体と下発熱間に配し調理物を載置する網体と、前記内筐体の開口を開閉するとともに開閉に連動して網体を前後に摺動させる扉とを備え、前記網体はその前部に、途中を回動自在に軸支した置き棒を設け、この置き棒は、その上端部を網体の後方側へ倒した状態での扉開放時、置き棒の下端部が扉の一部と当接して、置き棒の上端部が網体上方に起上り調理物を網体上に持ち上げるようにした加熱調理器。
【請求項２】
置き棒の上端部を網体の前方側へ倒した状態での扉開放時、置き棒の下端部は扉と非接触でその状態を保持するようにした請求項１に記載の加熱調理器。
【請求項３】
置き棒の上端部を網体の前方側へ倒した状態時、置き棒の下端部は網体より下方に位置するようにした請求項２に記載の加熱調理器。
【請求項４】
置き棒は、その軸支部より網体上方位置に重心を設けた請求項１〜３のいずれか１項に記載の加熱調理器。
【請求項５】
置き棒の上端部には、調理物の取出し部を形成する凹状部を設けた請求項１〜４のいずれか１項に記載の加熱調理器。
【請求項６】
網体の前部に、置き棒の凹状部の位置を示す表示部を設けた請求項５に記載の加熱調理器。
【発明の詳細な説明】
【技術分野】
【０００１】
本発明は、パンやピザなどを加熱調理する加熱調理器に関するものである。
【背景技術】
【０００２】
従来、この種の加熱調理器は、扉の開閉に連動して、調理物を載置する網体を加熱室内で前後に摺動させるものであり、網体上の調理物を加熱調理するとともに、調理した調理物を加熱室内から取出していた（例えば、特許文献１参照）。
【特許文献１】特開昭６３−１５０５２７号公報
【発明の開示】
【発明が解決しようとする課題】
【０００３】
しかしながら、前記従来の構成では、調理物は網体に載置されているため、調理物を取出す際に手が網体に接触し易く、調理物と同じく加熱された網体によって火傷し易いという課題を有していた。
【０００４】
本発明は、前記従来の課題を解決するもので、調理後、調理物を取出す際、手が網体に触れにくいようにして火傷を防止する加熱調理器を提供することを目的とする。
【課題を解決するための手段】
【０００５】
前記従来の課題を解決するために、本発明の加熱調理器は、網体の前部に、途中を回動自在に軸支した置き棒を設け、この置き棒は、その上端部を網体の後方側へ倒した状態での扉開放時、置き棒の下端部が扉の一部と当接して、置き棒の上端部が網体上方に起上り調理物を網体上に持ち上げるようにしたものである。
【０００６】
これによって、調理物を網体に載置して加熱し、調理後に扉を開放すると、調理物は置き棒により持ち上げられるため、調理物を取出す際、手が網体に触れにくく火傷する危険性が少ないものである。
【発明の効果】
【０００７】
本発明の加熱調理器は、調理物を取出す際、手が加熱された網体に触れにくく火傷する危険性が少ない。
【発明を実施するための最良の形態】
【０００８】
第１の発明は、前面に開口した調理室を形成する内筐体と、内筐体の上下に配した上発熱体および下発熱体と、上発熱体と下発熱間に配し調理物を載置する網体と、前記内筐体の開口を開閉するとともに開閉に連動して網体を前後に摺動させる扉とを備え、前記網体はその前部に、途中を回動自在に軸支した置き棒を設け、この置き棒は、その上端部を網体の後方側へ倒した状態での扉開放時、置き棒の下端部が扉の一部と当接して、置き棒の上端部が網体上方に起上り調理物を網体上に持ち上げるようにした加熱調理器とすることにより、調理物を網体に載置して加熱し、調理後に扉を開放すると、調理物は置き棒により持ち上げられるため、調理物を取出す際、手が網体に触れにくく火傷する危険性が少ないものである。
【０００９】
第２の発明は、特に、第１の発明において、置き棒の上端部を網体の前方側へ倒した状態での扉開放時、置き棒の下端部は扉と非接触でその状態を保持するようにしたことにより、ピザやホイル焼など、調理物を受け皿に載置して加熱調理する場合は、置き棒の上端部を網体の前方へ倒して調理すると、受け皿は常に網体上に載置されたままで使用することができる。
【００１０】
第３の発明は、特に、第２の発明において、置き棒の上端部を網体の前方側へ倒した状態時、置き棒の下端部は網体より下方に位置するようにしたことにより、網体の上面に調理物などを載置しても置き棒が調理物に接触しないので、常に網体に安定して置くことができ安全に使用できる。
【００１１】
第４の発明は、特に、第１〜第３のいずれか１つの発明において、置き棒は、その軸支部より網体上方位置に重心を設けたことにより、置き棒の回動を必要とするパンなどの加熱時と、ピザなど置き棒の回動を必要としない加熱時に、置き棒の上端部を網体の後方または前方に回動設置すると確実に設置ができる。
【００１２】
第５の発明は、特に、第１〜第４のいずれか１つの発明において、置き棒の上端部には、調理物の取出し部を形成する凹状部を設けたことにより、置き棒の上端部を網体の後方に設置してパンなどを加熱調理した時、扉開放時にパンなどの調理物を網体上方に持ち上げるとともに、置き棒の凹状部は調理物より下方に位置して、調理物から離れている。このため、調理物を取出す際はこの凹状部の部分で調理物を持つと、置き棒に触れず火傷の危険性がなく安全である。
【００１３】
第６の発明は、特に、第５の発明において、網体の前部に、置き棒の凹状部の位置を示す表示部を設けたことにより、置き棒上に調理物が載置されていても、置き棒の凹状部が網体の表示部により確認できるので、調理物の取出し位置が容易にわかり安全に使用することができる。
【００１４】
以下、本発明の実施の形態について、図面を参照しながら説明する。なお、この実施の形態によって本発明が限定されるものではない。
【００１５】
（実施の形態１）
図１〜図４は本発明の実施の形態１における加熱調理器を示すものである。
【００１６】
図に示すように、内筐体１は前面に開口を設けた調理室２を形成している。内筐体１の上部および下部には、上発熱体３および下発熱体４を配している。この上発熱体３と下発熱体４の間には調理物８を載置する網体５を配し、網体５は内筐体１内を前後に摺動自在に取り付けられている。前記内筐体１には、その開口を開閉する扉６を回動自在に取り付け、この扉６を前記網体５の一部と連係させ扉６の開閉に連動して網体５を摺動させている。
【００１７】
そして、前記網体５はその前部に、前方から見て略コ字状に折曲した置き棒７の途中を軸支部７ａで回動自在に軸支して設けている。この置き棒７は、その上端部７ｃを網体５の後方側へ倒した状態（図１）での扉６開放時、置き棒７の下端部７ｂが扉６の一部６ａと当接して、置き棒７の上端部７ｃが網体５上方に起上り調理物８の前端を網体５上に持ち上げるようにしている（図３）。
【００１８】
また、置き棒７の上端部７ｃを網体５の前方側へ倒した状態（図２）での扉６開放時、置き棒７の下端部７ｂは扉６と非接触でその状態を保持するようになっている。この場合、すなわち、置き棒７の上端部７ｃを網体５の前方側へ倒した状態時、置き棒７の下端部７ｂは網体５より下方に位置するようにしている。さらに、置き棒７は、その軸支部７ａより網体５上方位置に重心を設け、置き棒７の上端部７ｃを網体５の後方または前方に回動設置すると確実に設置ができるようにしたものである。
【００１９】
以上のように構成された加熱調理器について、以下その動作、作用を説明する。
【００２０】
置き棒７の上端部７ｃを網体５の後方側へ回動した状態で、調理物８である例えばパンを網体５に載置すると、パンの前方部は置き棒７の上端部７ｃに載置される。扉６を閉止すると、置き棒７は軸支部７ａより網体５の上方部に重心を設けているので、置き棒７の上端部７ｃは網体５の上面に接するように倒れ、パンは略網体５の上面に載置される（図１）。この状態で通電を開始し、上発熱体３、下発熱体４で加熱する。調理終了後、扉６を開放すると、置き棒７の下端部７ｂは扉６の一部６ａと当接し、軸支部７ａを中心に回動して、パンの前端を網体５から持ち上げるので（図３、図４）、パンは持ち上った前端を手で持って取り出せる。
【００２１】
また、ピザやホイル焼などの受け皿を必要とする調理の場合は、置き棒７の上端部７ｃを網体５の前方へ倒して（図２）から調理部を載置すると、置き棒７は扉６の開閉に関係なく扉６と当接しないので、置き棒７は常に網体５の前方に倒れた状態のままで使用することができる。また、この状態の時には、置き棒７の下端部７ｂは網体５より下方に位置しているので、調理物８は網体５に安定して置くことができる。
【００２２】
このように、本実施の形態における加熱調理器は、網体５に置き棒７を回動自在に取り付け、扉６を開放した時、置き棒７の下端部７ｂが扉６と当接して回動し、調理物８を網体５から持ち上げるので、手が加熱された網体５に触れにくく火傷の危険性が少ない。しかも、受け皿などを使用して調理する際には、置き棒７の上端部７ｃを網体５の前方へ倒しておけば、置き棒７は扉６の開閉に関係なく、常に網体５の前方に倒れたままであるので、扉６の開閉で受け皿が動かず安全なものである。
【００２３】
なお、置き棒７は線材で略コ字状に構成したが、その形状、構造は実施の形態に限定されるものではない。
【００２４】
（実施の形態２）
図５〜図７は本発明の実施の形態２における加熱調理器を示すものである。なお、本実施の形態の基本構成は実施の形態１と同じなので異なる点を中心に説明する。また、実施の形態１と同じ機能には同じ符号を付しその説明は省略する。
【００２５】
本実施の形態において実施の形態１と異なる点は、置き棒７の上端部７ｃに、調理物８の取出し部を形成する凹状部７ｄを設けたことと、網体５の前部に、置き棒７の凹状部７ｄの位置を示す表示部５ａを設けたことである。
【００２６】
前記置き棒７の凹状部７ｄは、置き棒７の上端部７ｃを凹状に折曲して形成したものであり、調理物８を取出す際に、凹状部７ｄにより手が置き棒７に触れないようにしている。置き棒７の凹状部７ｄは、本実施の形態では、図６に示すように、置き棒７の上端部７ｃに２個所形成されている。また、前記表示部５ａは、凹状部７ｄの位置に合わせて、凹状または凸状に網体５の前部を折曲して形成したものであり、置き棒７上に調理物８が載置されていて凹状部７ｄが調理物８の下に隠れていても、網体５の表示部５ａの存在により凹状部７ｄの位置が確認できるようになっている。
【００２７】
以上のように構成された加熱調理器について、以下その動作、作用を説明する。
【００２８】
置き棒７の上端部７ｃを網体５の後方側へ回動した状態（図１）で、調理物８であるパンを網体５に載置すると、パンの前端部は置き棒７の上端部７ｃに載置される。扉６を閉止すると、置き棒７は軸支部７ａより網体５の上方部に重心を設けているので、置き棒７の上端部７ｃは網体５の上面に接するように倒れ、パンは略網体５の上面に載置される。この状態で通電を開始し、上発熱体３、下発熱体４で加熱する。調理終了後、扉６を開放すると、置き棒７の下端部７ｂは扉６の一部６ａと当接し、軸支部７ａを中心に回動して、パンの前端を網体５から持ち上げるので（図５〜図７）、パンの前端を手で持って取り出せる。ここで、置き棒７の上端部７ｃには凹状部７ｄを設けているので、パンを取出す際に、この凹状部７ｄ位置でパンを持てば、手を奥深く差し出しても置き棒７に接触することがない。しかも、網体５の前方には、この凹状部７ｄの位置に合わせて、表示部５ａを設けているので、例え、パンで凹状部７ｄが見えなくても、表示部５ａの存在により凹状部７ｄの位置が確認できる。
【００２９】
以上のように本実施の形態によれば、置き棒７の上端部７ｃに凹状部７ｄを設けたので、置き棒７に手が触れず火傷の危険性がなく安全である。また、網体５の前部に、置き棒７の凹状部７ｄの位置を示す表示部５ａを設けたことにより、置き棒７上に調理物８が載置されていても、置き棒７の凹状部７ｄが網体５の表示部５ａにより確認できるので、調理物８の取出し位置が容易にわかり安全に使用することができる。
【００３０】
なお、置き棒７の凹状部７ｄおよび網体５の表示部５ａは、それぞれ置き棒７と網体５を折曲して形成したが、その形状、構造は実施の形態に限定されるものではない。特に、表示部５ａは、位置表示の機能があれば良く、目印となる単純な刻印などの表示だけでもよいものである。
【産業上の利用可能性】
【００３１】
以上のように、本発明にかかる加熱調理器は、調理物を取出す際、手が加熱された網体に触れにくく火傷する危険性が少ないので、パン、ピザ、ホイル焼などの他に各種調理物の加熱調理に適用できるものである。
【図面の簡単な説明】
【００３２】
【図１】本発明の実施の形態１における加熱調理器の一使用状態を示す側断面図
【図２】同加熱調理器の他の使用状態を示す側断面図
【図３】図１に示す加熱調理器の扉開放状態を示す側断面図
【図４】図３に示す加熱調理器の正面図
【図５】本発明の実施の形態２における加熱調理器の扉開放状態を示す側断面図
【図６】図５に示す加熱調理器の正面図
【図７】図５に示す加熱調理器の上面図
【符号の説明】
【００３３】
１  内筐体
２  調理室
３  上発熱体
４  下発熱体
５  網体
５ａ  表示部
６  扉
７  置き棒
７ａ  軸支部
７ｂ  下端部
７ｃ  上端部
７ｄ  凹状部
【図１】
2005180839.tif 000003
【図２】
2005180839.tif 000004
【図３】
2005180839.tif 000005
【図４】
2005180839.tif 000006
【図５】
2005180839.tif 000007
【図６】
2005180839.tif 000008
【図７】
2005180839.tif 000009